(57)【要約】【課題】低層住宅の外壁取付作業中に墜落する危険性が高いため、天井のＨ鋼下方に水平親綱を取付けているが、現行の親綱支持器は、ボルト・ナットで取付けるものであり、作業者は、壁際で天井のＨ鋼に手が届く位置まで脚立等に乗り、無胴綱で不安定な作業をする必要があり、非常に危険であった。【解決手段】床に立って取付作業を行うと共に、遠隔操作で取付が簡単にでき、取付け時の安全性を向上するものであり、具体的には、長尺の外筒１先端にフック部２を設け、後端に切欠溝１１を設けると共に、吊環部３を設け、該外筒１に内筒４を貫入し、該内筒４の先端に、フック部先端２１に嵌合する口金部５を設け、該内筒４の後端に端部金具７を挿着し、該端部金具７に連結板８の一端を回動自在に軸止し、他端を、吊環部３の固定軸３１に回動自在に設けた操作片９の一端に回動自在に軸止した構造である。【選択図】        図１
2004308151.tif 000002
【特許請求の範囲】
【請求項１】
外筒１の先端にフック部２を設け、後端に切欠溝１１を設けると共に、吊環部３を設け、該外筒１に内筒４を貫入し、該内筒４の先端に、フック部先端２１に嵌合する口金部５を設け、該内筒４の後端に端部金具７を挿着し、該端部金具７に連結板８の一端を回動自在に軸止し、他端を、吊環部３の固定軸３１に回動自在に設けた操作片９の一端に回動自在に軸止した構造を特徴とする親綱支持器。
【請求項２】
上記外筒１、内筒４を角状パイプとしたことを特徴とする請求項１に記載の親綱支持器。
【請求項３】
上記内筒４に替えて先端に口金部５を設け、後端に連結部を設けた棒としたことを特徴とする請求項１乃至請求項２に記載の親綱支持器。
【請求項４】
上記内筒４をアルミ製のパイプおよび棒としたことを特徴とする請求項１乃至請求項３に記載の親綱支持器。
【請求項５】
上記内筒４を合成樹脂製のパイプおよび棒としたことを特徴とする請求項１乃至請求項３に記載の親綱支持器。
【請求項６】
上記内筒４の先端に、フック部先端２１に嵌合する口金部５を別体に設けたことを特徴とする請求項１乃至請求項５に記載の親綱支持器。
【請求項７】
上記内筒４の後端に端部金具７を挿着するにおいて、内筒４の後端にバネ６を配し、端部金具７を摺動自在に挿着することを特徴とする請求項１乃至請求項６に記載の親綱支持器。
【請求項８】
上記内筒４の後端に直接連結板８の一端を回動自在に軸止することを特徴とする請求項１乃至請求項６に記載の親綱支持器。
【請求項９】
上記外筒１にロック筒１０を滑動自在に嵌合した構造を特徴とする請求項１乃至請求項８に記載の親綱支持器。
【発明の詳細な説明】
【０００１】
【発明の属する技術分野】
本願は、低層住宅組立において、作業者の墜落災害を防止するために張設する水平親綱を支持する支持器に関するものである。
【０００２】
【従来の技術】
従来、低層住宅の建設現場で、外壁の取付け等の作業中に墜落する危険性が高いため、水平親綱を張設し、その水平親綱に作業者が装着した安全帯の命綱先端に設けた係止フックを係止して安全を確保している。
その水平親綱を張設支持する支持器として、図１０に示すようなものがある。
この支持器は、天井のＨ鋼に設けられた穴に、棒状の一端のボルト部を挿通し、ナットを螺合して取付け、下部の輪部に水平親綱を挿入し張設するものである。
【０００３】
上記の支持器を取付け・取外しの際は、Ｈ鋼に手が届く位置まで上がり（１メートルぐらい）、ナットをモンキー等で締着するのであるが、まだ外壁が取付けられていない壁際で脚立に乗り、無胴綱で不安定な作業をする必要があり危険な作業であった。また、外壁回りに一個づつ取付けていくのに時間もかかっていた。また、数人で一度に取付けるには、数個の脚立等の資機材が必要であった。
【０００４】
【発明が解決しようとする課題】
よって、脚立等に乗って作業をすることを無くす（床に立ったままの作業にする）と共に、取付けも簡単な動作（遠隔操作）でできるようにし、まだ外壁が取付けられていない壁際での取付け時の安全性を向上した親綱支持器を得るものである。
【０００５】
【課題を解決するための手段】
本発明は、長尺の外筒先端にフック部を設け、後端に切欠溝を設けると共に、吊環部を軸固定して設け、該外筒に内筒を貫入し、該内筒の先端に、フック部先端に嵌合する口金部を設け、該内筒の後端に端部金具を挿着し、該端部金具に連結板の一端を回動自在に軸止し、他端を、吊環部の固定軸に回動自在に設けた操作片の一端に回動自在に軸止した構造である。
【０００６】
【実施例】
本発明の実施例を詳記する。
本発明は、図に示すように、長尺の外筒１の先端に略Ｊ字状のフック部２を設け、後端に切欠溝１１を設けると共に、吊環部３を軸固定して設け、該外筒１に内筒４を貫入し、該内筒４の先端に、フック部先端２１に嵌合する口金部５を設け、該内筒４の後端にバネ６を配した端部金具７を摺動自在に挿着し、該端部金具７に連結板８の一端を回動自在に軸止し、他端を、吊環部３の固定する軸３１に回動自在に設けた操作片９の一端に回動自在に軸止し、外筒１にロック筒１０を滑動自在に嵌合した構造を有している。
また、上記は内筒４の後端にバネ６を配した端部金具７を摺動自在に挿着し、挟持鉄板を絶えず押圧するようにしたものであるが、内筒４の後端に端部金具７を固定すること、また、端部金具７を設けないで直接連結板８の一端を回動自在に軸止（図示しない）することもでき、内筒先端とフック部２の安定板との間に隙間が生じるようになるが、発明の目的を十分達成することができる。
また、図面では、外筒１にロック筒１０を滑動自在に嵌合したものであるが、無いものでも一応の発明の目的を達成することができる。
また、ロック筒１０に吊環を設け、その吊環に水平親綱を吊り下げる様にすることもできる。このようにすると水平親綱の自重によりロック筒１０を確実にロック位置に配置することができる。
【０００７】
請求項２は、上記外筒１、内筒４を角状パイプとしたものであり、請求項１に記載の親綱支持器と同様の効果がある。
【０００８】
請求項３は、上記内筒４に替えて先端に口金部５を設け、後端に連結部を設けた棒としたものであり、請求項１乃至請求項２に記載の親綱支持器と同様の効果がある。
【０００９】
請求項４は、上記内筒４をアルミ製のパイプおよび棒としたものであり、請求項１乃至請求項３に記載の親綱支持器と同様の効果がある。
【００１０】
請求項５は、上記内筒４を合成樹脂製のパイプおよび棒としたものであり、請求項１乃至請求項３に記載の親綱支持器と同様の効果がある。
【００１１】
請求項６は、上記内筒４の先端に、フック部先端２１に嵌合する口金部５を別体に設けたものであり、請求項１乃至請求項５に記載の親綱支持器と同様の効果がある。
【００１２】
上記以外の組合わせとして、外筒１を丸パイプとし、内筒４を角パイプとする組合わせでも可能である。また、その逆に外筒１を角パイプとし、内筒４を丸パイプとする組合わせとすることもできる。
また、外筒１を丸パイプとし、内筒４をアルミ製または合成樹脂製の角パイプおよび角棒とすることもできる。また、外筒１を角パイプとし、内筒４をアルミ製または合成樹脂製の丸パイプおよび丸棒とする組合わせも可能である。
また、外筒１、内筒４に強度低下しない範囲で軽減孔を設けることも可能である。
【００１３】
図４，５は本発明の親綱支持器の下部断面図であり、図４は、掛止前の状態であり、内筒４の後端にバネ６を配した端部金具７を摺動自在に挿着し、バネ６によって、一番離れた（一番長い）状態であり、このまま操作片９を回動すれば、内筒４の口金部５先端はフック部２の安定板に丁度接触する寸法である。
図５は、操作片９を回動し、９ｍｍの鉄板を挟んだ状態で、内筒４が端部金具７の長孔によりスライド降下してバネ６部が縮小した状態である。
さらに、切欠溝１１部にロック筒１０を配置して塞ぎ、操作片９の回動を防止した状態である。
【００１４】
図６は、図１の支持器の上部拡大図であり、Ｈ鋼に掛止した状態で安定板と口金部５との間にＨ鋼の鉄板を挟んでおり、内筒４は下方に押され、図面では９ｍｍの鉄板を挟んだ状態を図示している。よって、厚みの異なる鉄板でも、絶えずバネ６により内筒４の口金部５先端で押圧しており、親綱支持器が揺れても外れることがないものである。
【００１５】
図７は、図１の支持器の下部拡大図であり、吊環部に嵌合したカラビナＫに水平親綱Ｒを嵌入するものである。
【００１６】
図８は、フック部先端２１に嵌合する内筒４先端の口金部５を別体に設けたものであり、内筒と外筒を細い材料とすることができ、軽量な支持器を得ることが出来るものである。
【００１７】
図９は、フック部の他の実施例であり、フック部先端２１が外筒１の中心位置よりずれているが、フック部２の曲げ工程を少なくできる。また、口金部５を別体に設けて嵌合が可能となり、発明の効果等は第１実施例と同等である。
【００１８】
本発明の親綱支持器を取付けるには、ロック筒１０を上側に上げてロックを解除しておき、床に立ったまま下部を持って天井のＨ鋼の穴にフック部先端２１を嵌合する。続いて、操作片９を下方へ回動すれば、内筒４が押し上げられて先端部の口金部５はフック部先端２１に嵌合し、Ｈ鋼の鉄板を押圧する。続いて、ロック筒１０を自重落下させれば、ロック筒１０は、外筒下方の切欠溝１１に位置し切欠溝１１を塞ぎ、操作片９の回動を防止し、内筒４の摺動を止め、フック部先端２１に嵌合した口金部５が外れないものである。
続いて、吊環部３に、水平親綱ＲをカラビナＫ等により吊下げ設置するものである。
【００１９】
本発明の親綱支持器により設置した水平親綱Ｒは、外壁取付等の作業中に墜落の危険性が高い外回りに面したＨ鋼の下方に配置され、作業者は、腰部に装着した安全帯の命綱先端の掛止フックを掛止して作業中の安全を確保するものである。
また、外回りだけでなく、吹き抜けのある家屋では、中にも水平親綱Ｒを設置し、高所よりの転落を防止するものである。
【００２０】
【発明の効果】
以上のように本発明の親綱支持器は、ボルト・ナットを用いないので取付け・取外しの工具が不要であり、床に立ったまま天井のＨ鋼の穴に取付けることができ、その取付け・取外しが容易で、短時間で可能である。
また、従来のようなボルト式でないのでネジ切欠による強度低下あるいは横荷重に対する強度低下はない。
また、取付け・取外しが容易なため、設置することへの抵抗がなくなり、外壁取付け作業等の短時間作業のためだけであっても、水平親綱の設置を徹底することができる。
また、水平親綱の設置の徹底により、墜落災害を防止できる。また、設置時の事故を防止できると共に、設置の作業性向上により、コストダウンが図れる。
また、設置の徹底により、安心感から建設作業の作業性向上が図れる。また、墜落阻止時の安全性の向上が図れる。
【図面の簡単な説明】
【図１】本発明の親綱支持器の取付状態斜視図。
【図２】本発明の親綱支持器上部の斜視図。
【図３】本発明の親綱支持器下部の斜視図。
【図４】本発明の親綱支持器下部の断面図。
【図５】本発明の親綱支持器下部の断面図。
【図６】図１の上部拡大斜視図。
【図７】図１の下部拡大斜視図。
【図８】他の実施例のフック部斜視図。
【図９】他の実施例のフック部正面図。
【図１０】従来品の取付状態斜視図。
【符号の説明】
１  外筒
２  フック部
３  吊環部
４  内筒
５  口金部
６  バネ
７  端部金具
８  連結板
９  操作片
１０  ロック筒
１１  切欠溝
２１  フック部先端
３１  軸
Ｋ  カラビナ
Ｒ  親綱
【図１】
2004308151.tif 000003
【図２】
2004308151.tif 000004
【図３】
2004308151.tif 000005
【図４】
2004308151.tif 000006
【図５】
2004308151.tif 000007
【図６】
2004308151.tif 000008
【図７】
2004308151.tif 000009
【図８】
2004308151.tif 000010
【図９】
2004308151.tif 000011
【図１０】
2004308151.tif 000012